(57)【要約】      （修正有）【課題】清掃対象の光コネクタのハウジングに容易に嵌合させることができる光コネクタの清掃工具。【解決手段】光コネクタの清掃工具であって、本体部２０と、前記本体部が固定される基板４０と、前記光コネクタに清掃体を押し当てるヘッド５５と、前記ヘッドを収容するヘッド用ハウジング５１とを備えるヘッドユニット５０とを有し、前記ヘッド用ハウジングは、前記光コネクタのハウジングと嵌合するように形成されており、前記ヘッドユニットは、前記基板に対して移動可能に設けられていることを特徴とする光コネクタの清掃工具。【選択図】図４
2019003006.tif 000002
【特許請求の範囲】
【請求項１】
光コネクタの清掃工具であって、
本体部と、
前記本体部が固定される基板と、
前記光コネクタに清掃体を押し当てるヘッドと、前記ヘッドを収容するヘッド用ハウジングとを備えるヘッドユニットと
を有し、
前記ヘッド用ハウジングは、前記光コネクタのハウジングと嵌合するように形成されており、
前記ヘッドユニットは、前記基板に対して移動可能に設けられている
ことを特徴とする光コネクタの清掃工具。
【請求項２】
請求項１に記載の光コネクタの清掃工具であって、
前記基板に対する前記ヘッドユニットの移動範囲を制限するストッパ機構を有する
ことを特徴とする光コネクタの清掃工具。
【請求項３】
請求項２に記載の光コネクタの清掃工具であって、
前記ストッパ機構は、前記基板に設けられた杭部材と、前記ヘッド用ハウジングに設けられ、前記杭部材との間に隙間が設けられた杭受け部とからなる
ことを特徴とする光コネクタの清掃工具。
【請求項４】
請求項１〜３のいずれかに記載の光コネクタの清掃工具であって、
前記ヘッドユニットが前記基板に対して移動する方向は、前記ヘッドが前記光コネクタに前記清掃体を押し当てる方向に垂直な方向である
ことを特徴とする光コネクタの清掃工具。
【請求項５】
請求項１〜４のいずれかに記載の光コネクタの清掃工具であって、
前記ヘッドユニットは、前記本体部に対して移動可能に設けられている
ことを特徴とする光コネクタの清掃工具。
【請求項６】
請求項１〜５のいずれかに記載の光コネクタの清掃工具であって、
前記ヘッドユニットが前記基板に対して移動することを規制する固定部材をさらに有する
ことを特徴とする光コネクタの清掃工具。
【請求項７】
請求項１〜６のいずれかに記載の光コネクタの清掃工具であって、
前記本体部は、
前記ヘッドに前記清掃体を供給する供給リールと、
前記ヘッドから回収した前記清掃体を巻き取る巻取リールと、
前記供給リール及び前記巻取リールが回転可能に配置されている回転軸と
を備える、複数のリールユニットと、
複数の前記リールユニットに対して回転力を駆動させる駆動ユニットと
を備え、
前記駆動ユニットは、前記ヘッドに前記清掃体を供給する方向又は前記ヘッドから回収した前記清掃体を巻き取る方向の一方向のみに回転を制限する逆転防止機構が設けられている
ことを特徴とする光コネクタの清掃工具。
【請求項８】
請求項７に記載の光コネクタの清掃工具であって、
前記本体部は、複数の前記リールユニット同士の駆動力を伝達する連結部を有する
ことを特徴とする光コネクタの清掃工具。
【発明の詳細な説明】
【技術分野】
【０００１】
本発明は、光コネクタの清掃工具に関する。
【背景技術】
【０００２】
光コネクタの接続端面（フェルールの端面）を清掃する清掃工具が知られている。この清掃工具が使用される清掃対象の光コネクタとしては、プラグインユニットの奥に位置するバックプレーンボードに取り付けられた光コネクタ（バックプレーンコネクタ）が含まれている。
【０００３】
このようなバックプレーンコネクタを清掃する清掃工具に関連して、特許文献１には、プリントボード側ハウジングのコネクタ穴に光コネクタ端面清掃具を挿入接続して、プリントボード側ハウジングをバックプレーン側ハウジングに嵌合させることで、光コネクタの接続端面を清掃できる光コネクタの清掃工具が記載されている（例えば特許文献１の図７参照）。また、特許文献２には、ヘッドの押圧面に巻き掛けられた清掃テープ（清掃体）を備える清掃工具を取り付けたボードを案内溝にスライドさせることが記載されている（例えば、特許文献２の図９参照）。
【先行技術文献】
【特許文献】
【０００４】
【特許文献１】特開２００２−２１９４２１号公報
【特許文献２】特開２０１６−４０６３号公報
【発明の概要】
【発明が解決しようとする課題】
【０００５】
特許文献１に記載されているようなバックプレーンコネクタでは、光コネクタ接続時のバックプレーン側ハウジングとプリントボード側ハウジングとの相対的な位置ずれを吸収するために、バックプレーン側ハウジングがバックプレーンボードに対して移動可能となる、いわゆるフローティング機構が設けられていることがある。このため、特許文献２に記載されているように、ボードに固定された清掃工具を案内溝に沿ってスライドさせるだけでは、清掃工具のハウジングとバックプレーンコネクタのハウジングとを容易に嵌合できないことがあった。バックプレーンコネクタのハウジングに適切に嵌合されないことで、清掃工具の清掃体をバックプレーンコネクタの接続端面に対して適切に押し当てることができないという問題があった。また、このような問題は、バックプレーンコネクタ以外の光コネクタ（例えば、ＭＰＯ型光コネクタ）のハウジングに嵌合することで接続端面を清掃するような場合でも同様に起こり得た。
【０００６】
本発明は、清掃対象の光コネクタのハウジングに容易に嵌合させることができる光コネクタの清掃工具を提供することを目的とする。
【課題を解決するための手段】
【０００７】
本発明の幾つかの実施形態は、光コネクタの清掃工具であって、本体部と、前記本体部が固定される基板と、前記光コネクタに清掃体を押し当てるヘッドと、前記ヘッドを収容するヘッド用ハウジングとを備えるヘッドユニットとを有し、前記ヘッド用ハウジングは、前記光コネクタのハウジングと嵌合するように形成されており、前記ヘッドユニットは、前記基板に対して移動可能に設けられていることを特徴とする光コネクタの清掃工具である。
【０００８】
本発明の他の特徴については、後述する明細書及び図面の記載により明らかにする。
【発明の効果】
【０００９】
本発明の幾つかの実施形態によれば、清掃工具を清掃対象の光コネクタのハウジングに容易に嵌合させることができる。
【図面の簡単な説明】
【００１０】
【図１】図１は、本実施形態の清掃工具１０の斜視図である。
【図２】図２Ａ及び図２Ｂは、バックプレーンコネクタ９０の構成の説明図である。
【図３】図３は、本実施形態の清掃工具１０による清掃時の説明図である。
【図４】図４Ａは、清掃工具１０のヘッドユニット５０を拡大した部分の側面図である。図４Ｂは、清掃工具１０のヘッドユニット５０を拡大した部分の断面図である。
【図５】図５Ａ〜図５Ｃは、ヘッドユニット５０のヘッド用ハウジング５１とバックプレーン側光コネクタ９１のバックプレーンハウジング９１２とが嵌合する様子を示す説明図である。
【図６】図６Ａは、ヘッドユニット５０の変形例を拡大した部分の側面図である。図６Ｂは、ヘッドユニット５０の変形例を拡大した部分の断面図である。
【図７】図７は、固定部材５を取り付けたヘッドユニット５０を拡大した部分の断面図である。
【図８】図８Ａ及び図８Ｂは、清掃工具１０の本体部２０の内部を示す説明図である。
【図９】図９Ａは、本体部２０のリールユニット２１の斜視図である。図９Ｂは、本体部２０の駆動ユニット２３の斜視図である。
【図１０】図１０Ａは、駆動ユニット２３の駆動部２３３が正転する時のリールユニット２１及び連結部２２の様子を示す説明図である。図１０Ｂは、駆動ユニット２３の駆動部２３３が逆転する時のリールユニット２１及び連結部２２の様子を示す説明図である。
【図１１】図１１Ａ及び図１１Ｂは、連結部２２を有さない本体部２０の例を示す説明図である。
【発明を実施するための形態】
【００１１】
後述する明細書及び図面の記載から、少なくとも以下の事項が明らかとなる。
【００１２】
光コネクタの清掃工具であって、本体部と、前記本体部が固定される基板と、前記光コネクタに清掃体を押し当てるヘッドと、前記ヘッドを収容するヘッド用ハウジングとを備えるヘッドユニットとを有し、前記ヘッド用ハウジングは、前記光コネクタのハウジングと嵌合するように形成されており、前記ヘッドユニットは、前記基板に対して移動可能に設けられていることを特徴とする光コネクタの清掃工具が明らかとなる。このような光コネクタの清掃工具によれば、清掃工具を清掃対象の光コネクタのハウジングに容易に嵌合させることができる。
【００１３】
前記基板に対する前記ヘッドユニットの移動範囲を制限するストッパ機構を有することが望ましい。これにより、基板に対してヘッドユニットが外れてしまうことを抑制することができる。
【００１４】
前記ストッパ機構は、前記基板に設けられた杭部材と、前記ヘッド用ハウジングに設けられ、前記杭部材との間に隙間が設けられた杭受け部とからなることが望ましい。これにより、基板に対してヘッドユニットが外れてしまうことを抑制することができる。
【００１５】
前記ヘッドユニットが前記基板に対して移動する方向は、前記ヘッドが前記光コネクタに前記清掃体を押し当てる方向に垂直な方向であることが望ましい。これにより、清掃工具を清掃対象の光コネクタのハウジングに容易に嵌合させることができる。
【００１６】
前記ヘッドユニットは、前記本体部に対して移動可能に設けられていることが望ましい。これにより、清掃工具を清掃対象の光コネクタのハウジングに容易に嵌合させることができる。
【００１７】
前記ヘッドユニットが前記基板に対して移動することを規制する固定部材をさらに有することが望ましい。これにより、清掃工具の輸送時等に、ヘッドユニットが不必要に移動することにより清掃体が引き出されることを抑制することができる。
【００１８】
前記本体部は、前記ヘッドに前記清掃体を供給する供給リールと、前記ヘッドから回収した前記清掃体を巻き取る巻取リールと、前記供給リール及び前記巻取リールが回転可能に配置されている回転軸とを備える、複数のリールユニットと、複数の前記リールユニットに対して回転力を駆動させる駆動ユニットとを備え、前記駆動ユニットは、前記ヘッドに前記清掃体を供給する方向又は前記ヘッドから回収した前記清掃体を巻き取る方向の一方向のみに回転を制限する逆転防止機構が設けられていることが望ましい。これにより、駆動ユニットのみに逆転防止機構を設けるだけで足りるので、清掃工具の部品点数を少なくすることができる。
【００１９】
前記本体部は、複数の前記リールユニット同士の駆動力を伝達する連結部を有することが望ましい。これにより、駆動ユニットの駆動力を複数のリールユニットに対して伝達することができる。
【００２０】
＝＝＝本実施形態＝＝＝
図１は、本実施形態の清掃工具１０の斜視図である。なお、図１では、清掃工具１０の本体部２０の内部を示すために、本体ハウジング２５のカバー部分が外された状態の清掃工具１０を示している。
【００２１】
以下の説明では、図１に示すように各方向を定義する。すなわち、清掃工具１０と、清掃対象となる光コネクタ（図１では不図示、後述する図２Ａ〜図３（バックプレーン側光コネクタ９１）参照）とを接近・離間させる方向を「前後方向」とし、清掃工具１０から見てバックプレーン側光コネクタ９１の側を「前」とし、逆側を「後」とする。また、供給リール２１１や巻取リール２１２の回転軸２５１の軸方向を「上下方向」とし、基板４０から見て本体部２０の側を「上」とし、逆側を「下」とする。また、前後方向及び上下方向に垂直な方向を「左右方向」とし、後側から前側を見たときの右側を「右」とし、左側を「左」とする。左右方向、上下方向及び前後方向のことを、この順にそれぞれ「Ｘ方向」、「Ｙ方向」及び「Ｚ方向」と呼ぶこともある。
【００２２】
清掃工具１０は、光コネクタの清掃に用いられる工具である。本実施形態の清掃工具１０の清掃対象となる光コネクタは、プラグインユニットの奥に位置するコネクタ取付壁（ミドルプレーンあるいはバックプレーンボード）に取り付けられた光コネクタ（バックプレーンコネクタ）である。以下では、まず清掃対象となるバックプレーンコネクタの構成について説明し、その後に本実施形態の清掃工具１０の構成について説明する。
【００２３】
＜バックプレーンコネクタ９０の構成＞
図２Ａ及び図２Ｂは、バックプレーンコネクタ９０の構成の説明図である。バックプレーンコネクタ９０は、バックプレーン側光コネクタ９１と、プリントボード側光コネクタ９２とを有する。
【００２４】
図２Ａに示すように、バックプレーン側光コネクタ９１は、プラグインユニット７０のバックプレーンボード７１の側に設けられた光コネクタである。バックプレーン側光コネクタ９１は、複数の光コネクタ９１１と、複数の光コネクタ９１１を収容するバックプレーンハウジング９１２とを有する。なお、バックプレーン側光コネクタ９１では、複数の光コネクタ９１１が光ファイバ９１３の端部にそれぞれ設けられている。
【００２５】
また、図２Ａに示すように、プリントボード側光コネクタ９２は、プリントボード８０の側に設けられた光コネクタである。プリントボード側光コネクタ９２は、複数の光コネクタ９２１と、プリントボードハウジング９２２とを有する。なお、プリントボード側光コネクタ９２では、複数の光コネクタ９２１が光ファイバ９２３の端部にそれぞれ設けられている。
【００２６】
バックプレーンコネクタ９０は、バックプレーン側の複数の光コネクタ９１１とプリントボード側の複数の光コネクタ９２１とを接続する光コネクタアダプタを構成するプラグイン形式の光コネクタである。図２Ｂに示すように、バックプレーンコネクタ９０は、プリントボード８０に取り付けられたプリントボードハウジング９２２を、プラグインユニット７０のバックプレーンボード７１に取り付けられたバックプレーンハウジング９１２に嵌合することで、複数の光コネクタ９１１と複数の光コネクタ９２１とをそれぞれ光接続する。
【００２７】
光ファイバ９１３の端部に設けられた光コネクタ９１１は、光コネクタ９２１を介して光ファイバ９１３と光ファイバ９２３とを光接続させるための接続部品である。光コネクタ９１１は、フェルール９１４と、光コネクタハウジング（不図示）とを有する。フェルール９１４は、光ファイバ９１３の端部を保持する部材である。フェルール９１４のフェルール端面９１４Ａは、光コネクタ９１１の接続端面である。つまり、フェルール端面９１４Ａは、バックプレーン側光コネクタ９１の接続端面である。
【００２８】
光ファイバ９２３の端部に設けられた光コネクタ９２１は、光コネクタ９１１を介して光ファイバ９２３と光ファイバ９１３とを光接続させるための接続部品である。光コネクタ９２１は、フェルール９２４と、光コネクタハウジング（不図示）とを有する。フェルール９２４は、光ファイバ９２３の端部を保持する部材である。フェルール９２４のフェルール端面９２４Ａは、光コネクタ９２１の接続端面である。つまり、フェルール９２４のフェルール端面９２４Ａは、プリントボード側光コネクタ９２の接続端面である。
【００２９】
図２Ａ及び図２Ｂに示す通り、作業者は、プリントボード８０をバックプレーンボード７１側にスライドさせて移動させ（図２Ａの矢印参照）、プリントボードハウジング９２２をバックプレーンハウジング９１２に嵌合することにより、光コネクタ９１１のフェルール９１４と光コネクタ９２１のフェルール９２４とを突き合わせ、複数の光コネクタ９１１と複数の光コネクタ９２１とが光接続されることになる。つまり、複数の光コネクタ９１１の光ファイバ９１３と複数の光コネクタ９２１の光ファイバ９２３とが光接続されることになる。
【００３０】
＜清掃工具１０の基本構造＞
図３は、本実施形態の清掃工具１０による清掃時の説明図である。図２Ａ及び図２Ｂにおいて説明したプリントボード側光コネクタ９２では、プリントボード８０の側に光コネクタ９２１が設けられていた。そして、プリントボード８０に取り付けたプリントボードハウジング９２２を、プラグインユニット７０のバックプレーンボード７１に取り付けたバックプレーンハウジング９１２に嵌合することで、複数の光コネクタ９１１と複数の光コネクタ９２１とが光接続されていた。本実施形態の清掃工具１０では、プリントボード８０の代わりに基板に清掃具（ヘッドの押圧面に巻き掛けられたテープ状の清掃体）が取り付けられる。そして、清掃具が収容されたハウジングをバックプレーンハウジングに嵌合することで、清掃体がバックプレーン側の複数の光コネクタの接続端面に押し当てられ、清掃されることになる。
【００３１】
図３に示すように、作業者は、清掃工具１０の基板４０をプラグインユニット７０の案内溝７２に沿ってスライドさせて移動させる。そして、ヘッドユニット５０のヘッド用ハウジング５１をバックプレーン側光コネクタ９１のバックプレーンハウジング９１２に嵌合させる。すると、清掃工具１０のヘッドユニット５０に収容されたヘッド５５の押圧面に巻き掛けられた清掃体１（図３では不図示、後述する図４Ｂ参照）が、バックプレーン側光コネクタ９１の光コネクタ９１１（図３では不図示、図２Ａ及び図２Ｂ参照）に押し当てられることになる。
【００３２】
清掃工具１０は、本体部２０と、基板４０と、ヘッドユニット５０とを有している（図１及び図３参照）。
【００３３】
本体部２０は、清掃体１をヘッドユニット５０に供給・回収させるための部材（例えば、後述するリールユニット２１等）を収容した部材である。また、本体部２０は、リールユニット２１等を駆動させる部材（後述する駆動ユニット２３）を収容した部材でもある。図１に示すように、清掃体１をヘッドユニット５０に供給・回収させるための部材（リールユニット２１等）は、本体部２０の本体ハウジング２５の内部に収容されている。また、リールユニット２１等を駆動させる部材（駆動ユニット２３）は、大部分が本体ハウジング２５の内部に収容されているが、一部（駆動レバー２３１の一部）が本体ハウジング２５から露出している（図３参照）。なお、本体部２０は、後述する基板４０に固定されている。本体部２０の詳細な構成と動作については後述する。
【００３４】
基板４０は、本体部２０を保持すると共に、プラグインユニット７０に清掃工具１０をスライドさせる際に、プラグインユニット７０の案内溝７２に案内される部材である。基板４０は、プリントボード８０と同じ形状で形成されても良い。これにより、基板４０をプラグインユニット７０の案内溝７２に差し込むことができる。
【００３５】
ヘッドユニット５０は、清掃体１が押圧面に巻き掛けられたヘッド５５を収容すると共に、バックプレーン側光コネクタ９１のバックプレーンハウジング９１２と嵌合する部材である。ヘッドユニット５０の詳細な構成については後述する。
【００３６】
＜フローティング機構＞
図２Ａ及び図２Ｂで説明したバックプレーンコネクタ９０では、プリントボード８０に取り付けたプリントボードハウジング９２２を、プラグインユニット７０のバックプレーンボード７１に取り付けたバックプレーンハウジング９１２に嵌合することで、複数の光コネクタ９１１と複数の光コネクタ９２１とが光接続される。ここで、プリントボードハウジング９２２をバックプレーンハウジング９１２に嵌合する際、プリントボードハウジング９２２とバックプレーンハウジング９１２との相対的な位置ずれを吸収するために、バックプレーンコネクタ９０にフローティング機構が設けられていることがある。このようなフローティング機構では、バックプレーンハウジング９１２がバックプレーンボード７１に対して移動可能となっている（図２Ａの矢印参照）。また、プリントボードハウジング９２２もプリントボード８０に対して移動可能となっている（図２Ａの矢印参照）。これにより、プリントボードハウジング９２２とバックプレーンハウジング９１２との嵌合時に相対的な位置ずれが生じていても、例えばプリントボードハウジング９２２がプリントボード８０に対して移動することで、これらの相対的な位置ずれを吸収することができる。
【００３７】
本実施形態の清掃工具１０では、ヘッドユニット５０が基板４０に対して移動可能となるフローティング機構が設けられている。以下では、ヘッドユニット５０の詳細な構成について説明すると共に、清掃工具１０のフローティング機構について説明する。
【００３８】
図４Ａは、清掃工具１０のヘッドユニット５０を拡大した部分の側面図である。図４Ｂは、清掃工具１０のヘッドユニット５０を拡大した部分の断面図である。なお、図４Ｂでは、杭部材４１の付近を詳しく説明するために、杭部材４１の付近をさらに拡大した図を右上に示している。同様に、図４Ｂでは、フランジ部５３１の付近を詳しく説明するために、フランジ部５３１の付近をさらに拡大した図を左上に示している。また、図４Ｂでは、フローティング機構を説明するために、本体ハウジング２５及びヘッド用ハウジング５１のみを上下方向に垂直な面で切った断面を示している。
【００３９】
ヘッドユニット５０は、ヘッド５５と、ヘッド支持部５３と、ヘッド用ハウジング５１とを備えている。また、基板４０には、杭部材４１が設けられている。
【００４０】
ヘッド５５は、清掃工具１０の清掃対象である光コネクタ（バックプレーン側光コネクタ９１、複数の光コネクタ９１１）の接続端面（フェルール端面９１４Ａ）に清掃体１を押し当てるための部材である。ヘッド５５の前側端面は、フェルール端面９１４Ａに清掃体１を押し付けるための押圧面になっている。押圧面（ヘッド５５の前側端面）には清掃体１が掛け回されており、未使用の清掃体１が押圧面の上流側から供給されるとともに、使用済みの清掃体１が押圧面の下流側へ送り出されることになる（図４Ｂの矢印参照）。
【００４１】
バックプレーン側光コネクタ９１には複数（ここでは６個）のフェルール端面９１４Ａが配置されており、ヘッドユニット５０は、バックプレーン側光コネクタ９１の複数のフェルール端面９１４Ａにそれぞれ対応する複数（ここでは６個）のヘッド５５を備えている。そして、それぞれのヘッド５５毎に清掃体１が供給・回収されることになる。なお、以下の説明においては、未使用の清掃体１が押圧面の上流側から供給されること、又は、使用済みの清掃体１が押圧面の下流側へ送り出されることを、併せて清掃体１の「搬送」と呼ぶことがある。また、清掃体１の搬送する方向を「搬送方向」と呼ぶことがある。
【００４２】
ヘッド支持部５３は、ヘッド５５の前抜けを規制すると共に、複数のヘッド５５を支持する部材である。ヘッド支持部５３は、後述するヘッド用ハウジング５１に収容されている。また、ヘッド支持部５３は、ヘッド用ハウジング５１に固定されている。
【００４３】
ヘッド支持部５３の後側には、案内部５４が設けられている。案内部５４は、清掃工具１０の搬送中の清掃体１の搬送方向以外の方向の移動を制限しつつ、清掃体１を搬送方向に案内するための部位である。案内部５４の案内面（清掃体１が案内部５４に接触する面）には清掃体１の搬送方向に沿って不図示の溝部が形成されても良い。この溝部において清掃体１を搬送することによって、清掃体１の搬送方向以外の方向の移動範囲が制限されている。なお、案内部５４とヘッド５５との間にはバネ（不図示）が配置されており、このバネによってヘッド５５が前側に押圧されている。ヘッド支持部５３は、ヘッド５５の前抜けを規制すると共に、後退可能にヘッド５５を支持している。
【００４４】
ヘッド用ハウジング５１は、ヘッド５５及びヘッド支持部５３を収容すると共に、バックプレーン側光コネクタ９１のバックプレーンハウジング９１２と嵌合する部材である。ヘッド用ハウジング５１は、前後方向に延在する筒状の部材であり、筒状の内部にヘッド５５及びヘッド支持部５３を収容する。ヘッド用ハウジング５１は、プリントボード側光コネクタ９２のプリントボードハウジング９２２と同じ形状で形成されても良い。これにより、バックプレーン側光コネクタ９１のバックプレーンハウジング９１２に嵌合させることができる。
【００４５】
ヘッド用ハウジング５１には、杭受け部５１１が設けられている。杭受け部５１１は、ヘッド用ハウジング５１の外周部に上下方向に延在するように設けられている凸状の部位である。また、杭受け部５１１は、凸状の部位が前後方向に一対設けられている。さらに、杭受け部５１１は、基板４０に設けられた杭部材４１をその間に挟むように設けられている。基板４０には複数（ここでは４個）の杭部材４１が設けられており、ヘッド用ハウジング５１は、複数の杭部材４１にそれぞれ対応する複数（ここでは４組）の杭受け部５１１を備えている。
【００４６】
杭部材４１は、上下方向に延在する棒状の部材である。杭部材４１は、杭受け部５１１（一対の凸状の部位）の間に設けられている。また、杭部材４１の下端（後述する頭部４１１の側とは逆側の端部）は、基板４０に固定されている。したがって、杭部材４１は、基板４０の上面（上下方向に垂直な面）から上方向に延び出る部材である。基板４０には複数（ここでは４個）の杭部材４１が設けられている。本実施形態では、杭部材４１及び杭受け部５１１は互いに固定されていない。
【００４７】
杭部材４１は、頭部４１１と、胴部４１２とを備える。
【００４８】
頭部４１１は、杭部材４１の上部の部位である。頭部４１１は、杭受け部５１１の上面より上側に飛び出すように設けられている。さらに、頭部４１１の径（上下方向に垂直な方向の大きさ）が、杭受け部５１１（一対の凸状の部位）の間の大きさより大きくなるように形成されている。これにより、杭部材４１（基板４０）及び杭受け部５１１（ヘッドユニット５０）は互いに固定されていないが、ヘッドユニット５０が基板４０に対して上側に外れてしまうことを抑制することができる。
【００４９】
胴部４１２は、頭部４１１の下部の棒状の部位である。図４Ａに示すように、杭部材４１の上側の一部分は杭受け部５１１の上面より上側に飛び出すようになっており、その他の部分は杭受け部５１１（一対の凸状の部位）の間に設けられている。
【００５０】
前述したように、杭部材４１及び杭受け部５１１は互いに固定されていない。したがって、本実施形態では、杭部材４１が設けられた基板４０と、杭受け部５１１が設けられた
ヘッドユニット５０とは互いに固定されていない。しかし、それだけでなく、杭受け部５１１（ヘッドユニット５０）は、杭部材４１（基板４０）に対して移動可能に設けられている。具体的には、図４Ａ及び図４Ｂに示すように、Ｘ方向及びＺ方向において、杭受け部材５１１は、胴部４１２との間にそれぞれΔＸ１、ΔＺ１の分だけ隙間を空けて設けられている。すなわち、ヘッドユニット５０は、基板４０に対してＸ方向及びＺ方向に移動可能に設けられている。また、図４Ａに示すように、杭部材４１の頭部４１１の下面と、ヘッド用ハウジング５１の上面とは、ΔＹ１の分だけ隙間を空けて設けられている。すなわち、ヘッドユニット５０は、基板４０に対してＹ方向に移動可能に設けられている。
【００５１】
したがって、本実施形態では、杭部材４１及び杭受け部５１１により、ヘッドユニット５０の基板４０に対するフローティング機構を構成している。つまり、ヘッドユニット５０は、基板４０に対して３次元的（ＸＹＺ方向）に移動可能に設けられている。但し、基板４０に対してヘッドユニット５０の移動方向は、二方向のみ（例えば、Ｘ方向及びＹ方向のみ）や、一方向のみ（例えば、Ｘ方向のみ）であってもよい。
【００５２】
ヘッドユニット５０が基板４０に対してＸ方向及びＹ方向のみに移動するフローティング機構の場合、前述の案内部５４とヘッド５５との間に設けられたバネによってＺ方向の相対的な位置ずれを吸収することができる。すなわち、ヘッドユニット５０の複数のヘッド５５は、ヘッド支持部５３内に設けられたバネにより後退可能に支持されているため、ヘッド用ハウジング５１とバックプレーンハウジング９１２との嵌合時のＺ方向の相対的な位置ずれを吸収することができる。但し、ヘッド用ハウジング５１とバックプレーンハウジング９１２とのＺ方向の相対的な位置ずれ量は嵌合時毎に異なることがある。前述したようにヘッド支持部５３内に設けられたバネのみによりこれらの相対的な位置ずれを吸収する場合、これらの相対的な位置ずれを吸収する量に応じてバネのプッシュバック量が嵌合時毎にそれぞれ異なってしまう。そうすると、バックプレーン側光コネクタ９１の接続端面（フェルール端面９１４Ａ）に清掃体１を押し当てる押圧力が嵌合時毎にそれぞれ異なってしまう。このため、基板４０に対してヘッドユニット５０の移動する方向が、Ｘ方向及びＹ方向のみよりも、さらにＺ方向にも移動可能に設けられていることで、バネのプッシュバック量を一定に保つことができ、清掃体１の押圧力を一定に保つことができる。
【００５３】
また、ヘッドユニット５０は、基板４０に対して移動可能に設けられているだけでなく、移動範囲はある一定の範囲に限られる。これは言い換えれば、杭部材４１（基板４０）は、杭受け部５１１を含むヘッド用ハウジング５１（ヘッドユニット５０）の移動範囲を制限するストッパ機構も構成している。具体的には、Ｘ方向及びＺ方向の移動範囲は、杭部材４１の胴部４１２と、杭受け部５１１の一対の凸状の部位の間との隙間の大きさによって規定される。また、Ｙ方向の移動範囲は、杭部材４１の頭部４１１の下面と、ヘッド用ハウジング５１の上面との隙間の大きさによって規定される。但し、基板４０に対するヘッドユニット５０の移動範囲を制限するものであれば、杭部材４１及び杭受け部５１１に限られない。このようなストッパ機構によれば、ヘッドユニット５０が基板４０から外れてしまうことを抑制することができる。
【００５４】
前述のフローティング機構では、ヘッドユニット５０が基板４０に対して移動可能に設けられていた。本実施形態のフローティング機構では、ヘッドユニット５０が本体部２０に対して移動可能に設けられても良い。
【００５５】
図４Ｂに示すように、ヘッド支持部５３には、フランジ部５３１が設けられている。フランジ部５３１は、ヘッド支持部５３の左右においてヘッド支持部５３から出っ張った部位である。一方、本体部２０の本体ハウジング２５は、フランジ部５３１を収容する凹部２５３が設けられている。図４Ｂに示すように、Ｘ方向及びＺ方向において、フランジ部５３１及び凹部２５３の間にはΔＸ２、ΔＺ２の分だけ一定の隙間が設けられている。すなわち、ヘッド支持部５３（ヘッドユニット５０）は、本体ハウジング２０（本体部２０）に対してＸ方向及びＺ方向にある一定の範囲で移動可能に設けられている。また、Ｙ方向において、フランジ部５３１及び凹部２５３の間にはΔＹ２の分だけ一定の隙間（不図示）が設けられても良い。すなわち、ヘッド支持部５３（ヘッドユニット５０）は、本体ハウジング２０（本体部２０）に対してＹ方向にある一定の範囲で移動可能に設けられている。したがって、ヘッドユニット５０は、本体部２０に対して３次元的（ＸＹＺ方向）に移動可能に設けられている。但し、フランジ部５３１及び凹部２５３の隙間（ΔＸ２、ΔＹ２、ΔＺ２）は、前述の杭部材４１（基板４０）及び杭受け部５１１（ヘッドユニット５０）との移動範囲（ΔＸ１、ΔＹ１及びΔＺ１）より大きくなるように設けられている（ΔＸ２＞ΔＸ１、ΔＹ２＞ΔＹ１、ΔＺ２＞ΔＺ１）。このようにすることで、杭部材４１（基板４０）及び杭受け部５１１（ヘッドユニット５０）との移動範囲を制限しないので、基板４０に対するヘッドユニット５０の移動を制限しない。
【００５６】
前述したように、本実施形態の清掃工具１０のフローティング機構では、ヘッドユニット５０が基板４０に対して移動可能に設けられるものと、ヘッドユニット５０が本体部２０に対して移動可能に設けられるものとの２つのフローティング機構がある。但し、ヘッドユニット５０が本体部２０に対して移動可能に設けられるフローティング機構のみでも良い。
【００５７】
図５Ａ〜図５Ｃは、ヘッドユニット５０のヘッド用ハウジング５１とバックプレーン側光コネクタ９１のバックプレーンハウジング９１２とが嵌合する様子を示す説明図である。以下では、ヘッドユニット５０のヘッド用ハウジング５１とバックプレーン側光コネクタ９１のバックプレーンハウジング９１２とが嵌合する際の、フローティング機構の動作について説明する。
【００５８】
図５Ａは、ヘッド用ハウジング５１とバックプレーンハウジング９１２とが嵌合する前の状態を示す。前述したように、作業者は、ヘッドユニット５０のヘッド用ハウジング５１をバックプレーン側光コネクタ９１のバックプレーンハウジング９１２に嵌合させるために、清掃工具１０の基板４０をプラグインユニット７０の案内溝７２に沿ってスライドさせて移動させる（図５Ａの矢印参照）。
【００５９】
図５Ｂは、ヘッド用ハウジング５１とバックプレーンハウジング９１２とが嵌合し始める時の状態を示す。図５Ｂは、基板４０をプラグインユニット７０の案内溝７２に沿ってスライドさせ、ヘッド用ハウジング５１の前面（バックプレーンハウジング９１２の側）の縁がバックプレーンハウジング９１２の後面（ヘッド用ハウジング５１側の面）の縁に当接した時の状態である。ここで、ヘッド用ハウジング５１とバックプレーンハウジング９１２との嵌合時に相対的な位置ずれが生じていても、本実施形態の清掃工具１０では、ヘッド用ハウジング５１（ヘッドユニット５０）が基板４０に対して移動することで、これらの相対的な位置ずれを吸収することができる。すなわち、清掃工具１０を清掃対象のバックプレーン側光コネクタ９１に容易に嵌合させることができる。また、嵌合時にヘッド用ハウジング５１とバックプレーンハウジング９１２との位置合わせが行われる。
【００６０】
また、バックプレーンハウジング９１２の後面（ヘッド用ハウジング５１側の面）には、縁の部分にテーパ部９１２Ａが形成されていることがある。一方、本実施形態では、ヘッド用ハウジング５１の前面（バックプレーンハウジング９１２の側）にも、テーパ部９１２Ａに当接する向きにテーパ部５１２が形成されている。図４Ｂの左上部分では、バックプレーンハウジング９１２のテーパ部９１２Ａに、ヘッド用ハウジング５１のテーパ部５１２が当接している状態を示している。この状態からさらに基板４０を案内溝７２に沿ってスライドさせる（清掃工具１０を、バックプレーン側光コネクタ９１の側に移動させる）と、テーパ面同士（テーパ部５１２及びテーパ部９１２Ａ）が滑るようにして移動できる。このとき、前述したように、ヘッド用ハウジング５１（ヘッドユニット５０）は、基板４０に対して移動可能となっているので、図４Ｂの左上部分の当接した状態からヘッド用ハウジング５１（ヘッドユニット５０）は、基板４０に対して上方向に移動することで、ヘッド用ハウジング５１（ヘッドユニット５０）は、バックプレーンハウジング９１２に対して嵌合することができる。
【００６１】
図５Ｃは、ヘッド用ハウジング５１とバックプレーンハウジング９１２との嵌合が完了し、清掃体１がバックプレーン側光コネクタ９１の複数の光コネクタ９１１のフェルール端面９１４Ａに押し当てられた状態を示す。また、清掃体１をフェルール端面９１４Ａに押し当てた時に前後方向における、ヘッド用ハウジング５１とバックプレーンハウジング９１２との位置合わせが行われる。この状態で駆動ユニット２３を駆動させることにより、清掃体１が搬送され、フェルール端面９１４Ａを清掃することになる。本実施形態の清掃工具１０におけるフローティング機構によって、清掃工具１０の清掃体１をバックプレーン側光コネクタ９１のフェルール端面９１４Ａに対して適切に押し当てることができる。駆動ユニット２３を含む本体部２０の動作については、後述する。
【００６２】
＜フローティング機構の変形例＞
図６Ａは、ヘッドユニット５０の変形例を拡大した部分の側面図である。図６Ｂは、ヘッドユニット５０の変形例を拡大した部分の断面図である。前述のフローティング機構は、基板４０に４個の杭部材４１が設けられており、ヘッド用ハウジング５１は、複数の杭部材４１にそれぞれ対応する４組の杭受け部５１１を備えていた。しかし、杭部材４１（及びそれに対応する杭受け部５１１）の数はこれに限られない。図６Ａ及び図６Ｂに示すように、基板４０に２個（ヘッド用ハウジング５１の左右にそれぞれ１個ずつ）の杭部材４１が設けられており、ヘッド用ハウジング５１は、複数の杭部材４１にそれぞれ対応する２組（左右にそれぞれ１組ずつ）の杭受け部５１１を備えていても良い。
【００６３】
なお、杭部材４１は、棒状の部材でなくても良い。例えば、ヘッドユニット５０の側面に沿うように設けられた板状の部材であっても良い。この場合でも、杭受け部５１１を含むヘッド用ハウジング５１（ヘッドユニット５０）は、杭部材４１（基板４０）に対して前後方向、左右方向及び上下方向にある一定の範囲で移動可能に設けられることは可能である。
【００６４】
図７は、固定部材５を取り付けたヘッドユニット５０を拡大した部分の断面図である。前述したように、ヘッドユニット５０は、基板４０に対して移動可能に設けられている。このように基板４０に対してヘッドユニット５０が移動可能な場合、ヘッドユニット５０のヘッド５５も基板４０に対して移動可能になっている。この際、ヘッド５５の押圧面に巻き掛けられた清掃体１が、輸送時等の振動により、不必要に引き出され、たるむおそれがある。したがって、本実施形態では、ヘッドユニット５０が基板４０に対して移動することを規制する固定部材５を有していてもよい。図７に示すように、固定部材５は、ヘッド支持部５３のフランジ部５３１と、本体ハウジング２５との間の隙間に設置されるバネ状部材である。但し、ヘッドユニット５０が基板４０に対して移動することを規制するものであれば、バネ状部材に限られない。これにより、清掃工具の輸送時等に、ヘッドユニットが不必要に移動することにより清掃体が引き出されることを抑制することができる。但し、この固定部材５が取り付けられた状態であっても、バネ状部材が変形可能であるため、弾性力に抵抗して力が加わることでヘッドユニット５０が基板４０に対して移動可能である。
【００６５】
＜搬送機構＞
図８Ａ及び図８Ｂは、清掃工具１０の本体部２０の内部を示す説明図である。図９Ａは、本体部２０のリールユニット２１の斜視図である。図９Ｂは、本体部２０の駆動ユニット２３の斜視図である。なお、図９Ｂでは、駆動レバー２３１の内部形状（変換機構２３２）について説明するために、駆動レバー２３１の一部を切り欠いて図示している。また、駆動レバー２３１の切り欠いた部分の外形形状を破線にて図示している。
【００６６】
本実施形態の清掃工具１０は、バックプレーン側光コネクタ９１の複数の光コネクタ９１１のフェルール端面９１４Ａに清掃体１を押し当てることでフェルール端面９１４Ａの清掃を行っている。そして、清掃体１の搬送を行うことで、未使用の清掃体１が押圧面の上流側から供給され、使用済みの清掃体１が押圧面の下流側へ送り出される。以下の説明では、本体部２０における清掃体１を搬送するための搬送機構について詳述する。
【００６７】
本体部２０は、本体ハウジング２５と、リールユニット２１と、連結部２２と、駆動ユニット２３とを有する。なお、本体ハウジング２５については、図８Ａの破線で図示している。
【００６８】
本体ハウジング２５は、リールユニット２１、連結部２２及び駆動ユニット２３を収容するための部材（カバー）である。なお、駆動ユニット２３の駆動レバー２３１の一部は、作業者が指で操作可能なように、本体ハウジング２５から露出している（図３参照）。
【００６９】
本体ハウジング２５には、リールユニット２１を回転可能に支持する回転軸２５１が設けられている。回転軸２５１は、清掃体１の幅方向と平行に配置されている。また、本体ハウジング２５には、清掃体１をリールユニット２１とヘッドユニット５０との間で搬送する際に、従動回転しながら清掃体１を誘導する従動ローラ２５２が設けられている。従動ローラ２５２は、軸部２５２Ａと、一対のフランジ部２５２Ｂとを有する。軸部２５２Ａは、清掃体１と接触する部位である。フランジ部２５２Ｂは、軸部７１の両端において軸部２５２Ａから出っ張った縁部（突縁部）である。従動ローラ２５２がフランジ部２５２Ｂを備えることによって、清掃体１が軸部２５２Ａから外れることを抑制することができる。
【００７０】
リールユニット２１は、清掃体１を供給すると共に、清掃体１を巻き取るためのリール（円筒状の巻き枠）を備えるユニットである（図９Ａ参照）。本実施形態の清掃工具１０では、６個のヘッド５５を有しており、リールユニット２１は、６個のヘッド５５のそれぞれに対応させて設けられており、各ヘッド５５に清掃体１を供給・回収するためのユニットである。各リールユニット２１は、それぞれ、供給リール２１１及び巻取リール２１２を備えている。本実施形態では、各リールユニット２１の供給リール２１１と巻取リール２１２が、共通の回転軸２５１に沿って回転可能に配置されている。これにより、各リールユニット２１の供給リール２１１の回転軸と巻取リール２１２の回転軸とが別々に設けられている場合と比べて、回転軸２５１に垂直な面に占める清掃工具１０の面積を小さくでき、清掃工具１０の小型化を図ることができる。
【００７１】
リールユニット２１は、本体ハウジング２５に収容されている。リールユニット２１を構成する供給リール２１１、巻取リール２１２は、清掃体１の幅方向に並んで本体ハウジング２５に収容されている。
【００７２】
供給リール２１１は、清掃体１を供給するためのリールである。供給リール２１１には、予め未使用の清掃体１が巻かれている。供給リール２１１は、本体ハウジング２５の回転軸２５１によって回転可能に支持されている。清掃体１がヘッド５５の側から引っ張られると、清掃体１の張力によって供給リール２１１が回転して、供給リール２１１から清掃体１が供給されることになる。
【００７３】
なお、供給リール２１１から清掃体１を供給する際に、供給リール２１１が回転し過ぎることによって、清掃体１がたるむおそれがある。このため、図９Ａに示すように、供給リール２１１の過回転を防止するために、回転防止機構２１４が設けられている。回転防止機構２１４は、供給リール２１１の外輪に設けられた係合歯２１４Ａと、本体ハウジング２５に取り付けられ係合歯２１４Ａを係止する係止爪２１４Ｂとを有する。なお、回転防止機構２１４は、供給リール２１１の過回転を防止できる機構であればよく、この構成に限られるものではない。
【００７４】
巻取リール２１２は、清掃体１を巻き取るためのリールである。巻取リール２１２には、使用済みの清掃体１が巻き取られることになる。巻取リール２１２は、本体ハウジング２５の回転軸２５１によって回転可能に支持されている。巻取リール２１２が回転すると、巻取リール２１２に清掃体１が巻き取られることになる。
【００７５】
巻取リール２１２の下部には、回転部２１３が設けられている。回転部２１３は、後述する駆動部２３３（又は連結部２２）からの回転力を受けて巻取リール２１２を回転させる部材である。また、回転部２１３は、連結部２２に回転力を伝達する部材でもある。回転部２１３は、巻取リール１３と一体的に回転する。なお、回転部２１３は、駆動部２３３又は連結部２２と噛み合う歯車として形成されている。
【００７６】
連結部２２は、複数のリールユニット２１間の回転力を伝達するための部材である。連結部２２は、本実施形態では、２組のリールユニット２１間で回転力を伝達している。なお、連結部２２は、連結部２２と噛み合う歯車として形成されている。
【００７７】
駆動ユニット２３は、リールユニット２１の巻取リール２１２に清掃体１を巻き取るための駆動力（回転力）を発生させる部材である（図９Ｂ参照）。以下では、巻取リール２１２に清掃体１を巻き取るための駆動力（回転力）を発生させる駆動機構について説明する。駆動ユニット２３は、巻取リール２１２に駆動力（回転力）を発生させる駆動機構として、変換機構２３２と、伝動機構２３３と、逆転防止機構２３４とを有する。
【００７８】
変換機構２３２は、駆動レバー２３１の駆動レバー回転軸２３６を中心とする一定角度内の回転運動（以下、「円弧運動」と呼ぶことがある）を、駆動レバー２３１の駆動部２３７の回転運動に変換する機構である。なお、駆動レバー２３１の円弧運動では、時計回り及び反時計回りの回転運動を往復する回転運動（揺動運動）も含まれる。本実施形態では、変換機構２３２は、ラックアンドピニオン機構によって構成されており、ラック２３２Ａと、ピニオン２３２Ｂとを有する。ラック２３２Ａは、駆動レバー２３１の円弧部分の内側に設けられた歯車であり、駆動レバー回転軸２３６を中心とする円弧運動を行う（図９Ｂの矢印参照）。ピニオン２３２Ｂは、駆動部２３７の側に設けられた円形歯車である。ピニオン２３２Ｂは、ラック２３２Ａが円弧運動をすると、駆動部回転軸２３８を中心とした回転運動をする。
【００７９】
伝動機構２３３は、ピニオン２３２Ｂの回転運動を伝動車２３５の回転運動に伝動する機構である。伝動機構２３３は、伝動爪２３３Ａと、係合車２３３Ｂとを有する。伝動爪２３３Ａは、係合車２３３Ｂに係合しつつ回転することで、係合車２３３Ｂに回転力を伝動する部材である。伝動爪２３３Ａは、ピニオン２３２Ｂと一体的に設けられており、ピニオン２３２Ｂの回転と共に伝動爪２３３Ｂも回転する。係合車２３３Ｂは、伝動爪２３３Ａと係合し、伝動爪２３３Ａからの回転力を受ける部材である。係合車２３３Ｂは、後述する逆転防止機構２３４の爪車２３４Ａ及び伝動車２３５と一体的に設けられている。
【００８０】
逆転防止機構２３４は、伝動車２３５の回転方向を一方向（巻取リール２１２による清掃体１の巻取方向）に制限する機構である。つまり、逆転防止機構２３４は、伝動車２３５が、清掃体１の巻き取られる巻取方向とは逆方向に巻取リール２１２が回転するように駆動力を伝動させることを防止するための機構である。
【００８１】
本実施形態では、逆転防止機構２３４は、ラチェット機構によって構成されており、本体部２０の本体ハウジング２５に取り付けられた逆止爪２３４Ｂと、伝動車２３５と一体的に設けられた爪車２３４Ａ（ラチェット）とを有する。清掃体１の巻き取られる巻取方向に巻取リール２１２が回転するように駆動力を伝動させるとき、逆止爪２３４Ｂは、爪車２３４Ａが回転することを許容することで伝動車２３５が回転する。清掃体１の巻き取られる巻取方向とは逆方向に巻取リール２１２が回転するように駆動力を伝動させるとき、逆止爪２３４Ｂは、爪車２３４Ａを係止することで伝動車２３５が回転する。なお、本実施形態の逆転防止機構２３４は、外歯式のラチェット機構により構成されているが、逆転防止機構２３４は、駆動部２３７の逆転を防止できる機構であれば、内歯式のラチェット機構でも良いし、ラチェット機構以外の機構でも良い。
【００８２】
したがって、本実施形態の清掃工具１０では、巻取リール２１２に清掃体１が巻き取られるような回転を伝動する伝動車２３５に対して駆動力（回転力）を発生させる駆動機構として、ラック２３２Ａと、ピニオン２３２Ｂを有している。そして、ピニオン２３２Ｂに発生した回転力を伝動車２３５に伝動する伝動機構として、伝動爪２３３Ａと、係合車２３３Ｂとを有している。伝動車２３５は、係合車２３３Ｂと一体的に設けられているので、係合車２３３Ｂの回転と共に伝動車２３５も回転する。そして、本実施形態では、伝動車２３５は、巻取リール２１２と一体的に形成された回転部２１３に回転力を伝動するように設けられている。さらに、連結部２２を介することで、合計６つの巻取リール２１２に駆動力（回転力）を発生させている。すなわち、６つの巻取リール２１２に対して、伝動車２３５を共通にしている。そうすることで、逆転防止機構２３４を各巻取リール２１２に設ける場合と比べて、回転軸２５１に垂直な面に占める清掃工具１０の面積を小さくでき、清掃工具１０の小型化を図ることができる。
【００８３】
図１０Ａは、駆動ユニット２３の駆動部２３３が正転する時のリールユニット２１及び連結部２２の様子を示す説明図である。図１０Ｂは、駆動ユニット２３の駆動部２３３が逆転する時のリールユニット２１及び連結部２２の様子を示す説明図である。ここで、巻取リール２１２に清掃体１が巻き取られるような回転を駆動する伝動車２３５の回転（ここでは時計回りの回転）を「正転」と呼び、「正転」とは逆の回転（ここでは反時計回りの回転）を「逆転」と呼ぶことがある。
【００８４】
図１０Ａに示すように、清掃時のプッシュ動作では、駆動レバー２３１のラック２３２Ａがピニオン２３２Ｂに対して時計回りに回転し、ピニオン２３２Ｂが図１０Ａにおける時計回りに回転する。さらに、ピニオン２３２Ｂに設けられた伝動爪２３３Ａが係合車２３３Ｂ（及び係合車２３３と一体的に設けられた伝動車２３５）に回転力を伝動する。ここで、ラチェット機構は伝動車２３５の時計回りの回転を許容しているため、伝動車２３５の回転力がさらに巻取リール２１２に伝達されて、巻取リール２１２が巻取方向に回転する。また、連結部２２を介して他の巻取リール２１２も巻取方向に回転する。これにより、使用済みの清掃体１が巻取リール２１２に巻き取られるとともに、巻取長さに相当する長さの未使用の清掃体１が供給リール２１１から供給されることになる。
【００８５】
一方、図１０Ｂに示すように、清掃時のプル動作では、駆動レバー２３１のラック２３２Ａがピニオン２３２Ｂに対して反時計回りに回転し、ピニオン２３２Ｂが図１０Ｂにおける反時計回りに回転する。このとき、ピニオン２３２Ｂに設けられた伝動爪２３３Ａは係合車２３３Ｂ（及び係合車２３３と一体的に設けられた伝動車２３５）に回転力を伝動しない。伝動車２３５が逆転防止機構２３４によって反時計回りの回転が制限されており、伝動機構２３３の伝動爪２３３Ａと係合車２３３Ｂとの間に滑りが生じ、係合車２３３Ｂ（及び係合車２３３と一体的に設けられた伝動車２３５）が空回りして伝動車２３５は回転しない。
【００８６】
＜本体部２０の変形例＞
図１１Ａ及び図１１Ａは、連結部２２を有さない本体部２０の例を示す説明図である。前述した清掃工具１０の本体部２０では、２組のリールユニット２１間で回転力を伝達する部材として、連結部２２が設けられていた。しかし、図１１Ａ及び図１１Ａに示すように、連結部２２を設けず、２組のリールユニット２１間で直接回転力を伝動してもよい。具体的には、回転部２１３同士で回転力を伝動してもよい。これにより、連結部２２を有する場合と比べて、回転軸２５１に垂直な面に占める清掃工具１０の面積をさらに小さくでき、清掃工具１０の小型化を図ることができる。
【００８７】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８８】
１  清掃体、５  固定部材、１０  清掃工具、
２０  本体部、２１  リールユニット、
２１１  供給リール、２１２  巻取リール、２１３  回転部、
２１４  回転防止機構、２１４Ａ  係合歯、２１４Ｂ  係止爪、
２２  連結部、２３  駆動ユニット、２３１  駆動レバー、
２３２  変換機構、２３２Ａ  ラック、２３２Ｂ  ピニオン、
２３３  伝動機構、２３３Ａ  伝動爪、２３３Ｂ  係合車、
２３４  逆転防止機構、２３４Ａ  爪車、２３４Ｂ  逆止爪、２３５  伝動車、
２３６  駆動レバー回転軸、２３７  駆動部、２３８  駆動部回転軸、
２５  本体ハウジング、２５１  回転軸、２５２  従動ローラ、
２５２Ａ  軸部、２５２Ｂ  フランジ部、２５３  凹部、
４０  基板、４１  杭部材、４１１  頭部、４１２  胴部、
５０  ヘッドユニット、５１  ヘッド用ハウジング、
５１１  杭受け部、５１２  テーパ部、５３  ヘッド支持部、
５３１  フランジ部、５４  案内部、５５  ヘッド、
７０  プラグインユニット、７１  バックプレーンボード、７２  案内溝、
８０  プリントボード、９０  バックプレーンコネクタ、
９１  バックプレーン側光コネクタ、９１１  光コネクタ、
９１２  バックプレーンハウジング、９１２Ａ  テーパ部、
９１３  光ファイバ、９１４  フェルール、９１４Ａ  フェルール端面、
９２  プリントボード側光コネクタ、９２１  光コネクタ、
９２２  プリントボードハウジング、９２３  光ファイバ、
９２４  フェルール、９２４Ａ  フェルール端面
【図１】
2019003006.tif 000003
【図２】
2019003006.tif 000004
【図３】
2019003006.tif 000005
【図４】
2019003006.tif 000006
【図５】
2019003006.tif 000007
【図６】
2019003006.tif 000008
【図７】
2019003006.tif 000009
【図８】
2019003006.tif 000010
【図９】
2019003006.tif 000011
【図１０】
2019003006.tif 000012
【図１１】
2019003006.tif 000013